(57)【要約】  本発明は、ワイヤ上に配置された少なくとも１つの発光素子に基づく照明装置に関する。製造が簡素で費用効果が高く、特に様々な形状に適合可能であり、発光素子の様々な配置を提供できる照明装置を提供する目的は、以下を含む照明装置（２０）で解決される。照明装置（２０）は、第１の長手方向軸線（４）を有する第１のワイヤ（２）、第２の長手方向軸線（８）を有する第２のワイヤ（６）、第１のワイヤ（２）及び第２のワイヤ（６）に電気的に接触している発光素子（２２）を含み、第１のワイヤ（２）及び第２のワイヤ（６）は交差領域（１０）内で交差し、第１のワイヤ（２）は、交差領域（１０）において第１のワイヤ（２）と第２のワイヤ（６）との間に所定の最小距離（１４）が提供されるように、交差領域（１０）に配置された屈曲部分（１２）を含む。本発明は、照明装置（２０）を製造する製造方法、及び照明装置（２０）の使用にさらに関する。
2021506060.tif 000002
【特許請求の範囲】
【請求項１】
照明装置であって、当該照明装置は、
第１の長手方向軸線を有する第１のワイヤと、
第２の長手方向軸線を有する第２のワイヤであって、前記第１のワイヤ及び前記第２のワイヤは、交差領域内で交差する、第２のワイヤと、
前記交差領域に配置され、且つ前記第１のワイヤ及び前記第２のワイヤに電気的に接触している発光素子と、を有しており、
前記第１のワイヤは、前記交差領域において前記第１のワイヤと前記第２のワイヤとの間に所定の最小距離が提供されるように、前記交差領域に配置された屈曲部分（１２）を含み、
複数の第１のワイヤ及び／又は複数の第２のワイヤが、提供され、複数の交差領域で交差し、
複数の発光素子が提供され、該発光素子は前記交差領域に配置され、
前記第１の長手方向軸線及び前記第２の長手方向軸線は、実質的に同じ面内に配置され、
前記第２のワイヤは、２つの交差領域の間の略中央に屈曲部分（１６）を含む、
照明装置。
【請求項２】
前記複数の第１のワイヤ及び／又は前記複数の第２のワイヤに電気的に接触している制御ユニットをさらに含み、該制御ユニットは、前記複数の発光素子の一部を残りの発光素子から独立して作動させるように構成される。請求項１に記載の照明装置。
【請求項３】
前記第２のワイヤは、前記第１のワイヤの前記屈曲部分（１２）の略中央で前記第１のワイヤと交差する、請求項１又は２に記載の照明装置。
【請求項４】
前記所定の最小距離、前記第１のワイヤの材料、前記第２のワイヤの材料、前記第１のワイヤの断面、及び／又は前記第２のワイヤの断面の少なくとも１つは、前記第１のワイヤ及び前記第２のワイヤが当該照明装置の所定の変形応力下での接触を回避するように選択される、請求項１乃至３のいずれか一項に記載の照明装置。
【請求項５】
前記発光素子は、前記第１の長手方向軸線に沿って延びる前記第１のワイヤの接触部分に電気的に接触しており、及び／又は
前記発光素子は、前記第２の長手方向軸線に沿って延びる前記第２のワイヤの接触部分に電気的に接触している、請求項１乃至４のいずれか一項に記載の照明装置。
【請求項６】
前記発光素子は、コンタクトパッドを含み、
該コンタクトパッドは、第１のワイヤと第２のワイヤとの間の前記所定の最小距離に対応して、互いに対して配置され、及び／又は
前記コンタクトパッドは、前記第１の長手方向軸線と前記第２の長手方向軸線との間の角度に対応する角度で配置される細長い形状を有する、請求項１乃至５のいずれか一項に記載の照明装置。
【請求項７】
前記発光素子、前記第１のワイヤ、及び／又は前記第２のワイヤは、絶縁材料で少なくとも部分的に覆われている、請求項１乃至６のいずれか一項に記載の照明装置。
【請求項８】
少なくとも１つのキャビティを有するフレーム要素をさらに含み、前記少なくとも１つのキャビティは、少なくとも１つの発光素子を取り囲むように配置される、請求項１乃至７のいずれか一項に記載の照明装置。
【請求項９】
請求項１乃至８のいずれか一項に記載の照明装置を製造する製造方法であって、当該製造方法は、
前記第１の長手方向軸線を有する前記第１のワイヤに屈曲部分を設けるステップと、
前記第２の長手方向軸線を有する前記第２のワイヤを提供するステップと、
前記第１のワイヤ及び前記第２のワイヤを前記交差領域内で交差するように配置するステップであって、前記第１のワイヤの前記屈曲部分が、前記交差領域において前記第１のワイヤと前記第２のワイヤとの間に所定の最小距離が提供されるように、前記交差領域に配置される、配置するステップと、
前記発光素子を前記交差領域に配置するステップと、
前記発光素子と前記第１のワイヤとの間、及び前記発光素子と前記第２のワイヤとの間に電気的接触を確立するステップと、を含む、
製造方法。
【請求項１０】
前記第１のワイヤの少なくとも１つの接触部分及び／又は前記第２のワイヤの少なくとも１つの接触部分に対応するキャビティを含む接触材料ステンシルを使用して、接触材料を塗布し前記電気的接触を確立するステップをさらに含む、請求項９に記載の製造方法。
【請求項１１】
前記照明装置の支持体の形状に一致するように前記照明装置を変形させるステップをさらに含む、請求項９又は１０に記載の製造方法。
【請求項１２】
自動車の照明における、特にコミュニケーション・ライト、表示灯、信号灯、及び／又は室内灯としての、請求項１乃至８のいずれか一項に記載の照明装置の使用。
【発明の詳細な説明】
【技術分野】
【０００１】
本開示は、特に自動車の照明の分野における、ワイヤ上に配置された発光素子に基づく照明装置に関する。
【背景技術】
【０００２】
自動車の照明は、車両とその環境との間、例えば歩行者や他の道路利用者との間のコミュニケーションを改善又は強化するために使用できる。特に自動化された自律型車両のコミュニケーション・ライト（communication lights）を使用することにより、より包括的な情報を環境に提供するための開発が行われている。例えば、車両の意図又は車両の状態に関する情報を提供することが望ましい場合がある。照明装置を使用して、例えば、意図した停止位置、軌道、加速又はブレーキ動作を知らせることができる。さらに、車両は、道路利用者を認識したことを知らせ、車両が道を譲ることができる。車両の状態（それが活性化状態であるか非活性化状態であるかに関係なく）、自動運転モードの活性化、バッテリ又はセンサの状態等に関する情報も与えることができる。対応する照明装置は、特に自動化された自律型車両に関して、道路の安全性と、車両に関連する他の道路利用者の信頼を高めることができる。
【０００３】
照明装置によって通信を提供する簡素な方法は、発光素子のアレイを含む表示モジュールに画像を表示することである。電子表示モジュールは、自動車用途に適した高い視認性の画像を提供するために、高い応答時間及び高いコントラストを実現するのに適している場合がある。しかしながら、従来の液晶ディスプレイ（ＬＣＤ）に基づく表示モジュールでは、光の内部吸収のために、全体的なエネルギー効率が制限され得る。さらに、ＬＣＤは製造するのにコストがかかり得る。代替として、有機発光ダイオード（ＯＬＥＤ）ディスプレイを使用して、表示モジュールを提供することができる。しかしながら、ＯＬＥＤは、輝度の低下、つまり自動車用途に必要な高輝度、例えば視界が悪い状況での運転に十分な輝度で動作させると、急速な劣化及び寿命の制限に悩まされ得る。
【０００４】
発光ダイオード（ＬＥＤ）を使用するディスプレイは、高いエネルギー効率及び輝度を提供し得る。しかしながら、ＬＥＤは、複数のＬＥＤダイ又はＬＥＤパッケージのアレイに配置する必要があり、各ＬＥＤには、他のＬＥＤから独立して電気エネルギーを供給する必要がある。従って、ＬＥＤの個々のアドレス指定には、多数の電気接続が必要であり、例えば、導電体のパターンを含むプリント回路基板等の共通基板上のリードフレームのアレイにＬＥＤを配置する場合がある。
【０００５】
しかしながら、共通基板上にＬＥＤアレイを配置することは、照明装置の形状を略平坦な形状に制限する。いくつかの用途では、特に技術上又は設計上の考慮事項により、照明装置が様々な形状を想定できることが必要になる場合があり、つまり、照明装置は、照明装置の支持体として機能する様々なオブジェクトの形状に一致させる必要がある。例えば、照明装置が車のボディの形状又は車のインテリアパネルの形状に一致することが望ましい場合がある。
【発明の概要】
【０００６】
本発明の目的は、製造が簡素で費用効果が高く、特に様々な形状に適合可能であり、発光素子の様々な配置を提供できる照明装置を提供することである。本発明は、前述した目的に基づく、そのような照明装置の製造方法及びそのような照明装置の使用にさらに関する。
【０００７】
本発明の第１の態様によれば、照明装置が提供される。この照明装置は、第１の長手方向軸線を有する第１のワイヤと；第２の長手方向軸線を有する第２のワイヤであって、第１のワイヤ及び第２のワイヤは交差領域内で交差する、第２のワイヤと；交差領域に配置され、且つ第１のワイヤ及び第２のワイヤに電気的に接触している発光素子と；を有しており、第１のワイヤは、交差領域において第１のワイヤと第２のワイヤとの間に所定の最小距離が提供されるように、交差領域に配置された屈曲部分を含む。
【０００８】
本発明の第２の態様によれば、照明装置、特に第１の態様による照明装置を製造する製造方法が提供される。この方法は、第１の長手方向軸線を有する第１のワイヤに屈曲部分を設けるステップと；第２の長手方向軸線を有する第２のワイヤを提供するステップと；第１のワイヤ及び第２のワイヤを交差領域内で交差するように配置するステップであって、第１のワイヤの屈曲部分は、交差領域において第１のワイヤと第２のワイヤとの間に所定の最小距離が提供されるように、交差領域に配置される、配置するステップと；発光素子を交差領域に配置するステップと；発光素子と第１のワイヤとの間、及び発光素子と第２のワイヤとの間に電気的接触を確立するステップと；を含む。
【０００９】
本発明の第３の態様によれば、自動車の照明における第１の態様による照明装置の使用が、特にコミュニケーション・ライト、表示灯、信号灯、及び／又は室内灯として説明される。
【００１０】
本発明の第１、第２、及び第３の態様の例示的な実施形態は、以下に説明する１つ又は複数の特性を有することができる。
【００１１】
照明装置は、少なくとも１つの第１のワイヤ及び少なくとも１つの第２のワイヤを含む。第１のワイヤは、第１の長手方向軸線を有しており、この長手方向軸線は、第１のワイヤの主伸長方向、すなわち、ワイヤの最長寸法に対応し得る。特に、第１のワイヤは少なくとも１つの直線部分を含むことができ、直線部分の伸長方向は第１の長手方向軸線に対応する。同様に、第２のワイヤは、第２の長手方向軸線を有しており、この長手方向軸線は、第２のワイヤの主伸長方向に対応し得る。第２のワイヤは、一部直線状、又はいくつかの実施形態では、その全長に沿って略直線状であり得、直線部分の伸長方向は、第２の長手方向軸線に対応する。第１のワイヤ及び／又は第２のワイヤは、規則的な断面を有し得る。例えば、第１のワイヤ及び／又は第２のワイヤは、円形、特に断面が円形であり得る。例えば、長方形、正方形、又は他の多角形の形状等、他の断面も適切であり得る。
【００１２】
第１のワイヤ及び第２のワイヤは、電流、特に少なくとも１つの発光素子を動作させるのに適した電流を伝えるように構成される。いくつかの実施形態では、第１のワイヤ及び／又は第２のワイヤは、Ｃｕ又はＣｕ合金、ＣｕＦｅ２Ｐ及び／又はＣｕＮｉＳｉを含むか、或いはそれらから構成される。発光素子は、例えば、第１のワイヤ及び第２のワイヤに電気的に接触しており、例えば第１及び第２のワイヤは、電圧を発光素子に供給するのに異なる極性を表す。
【００１３】
いくつかの実施形態では、少なくとも１つの発光素子は、発光ダイオード（ＬＥＤ）であってもよい。ＬＥＤは、ｐ−ｎ接合、ダイオード、及び／又はトランジスタ等の少なくとも１つの半導体素子を含んでもよい。ＬＥＤは、例えばリードフレーム及び／又はワイヤボンドと組み合わせて、ＬＥＤパッケージとして提供してもよい。発光素子、特にＬＥＤは、発光面及び側面を有してもよく、例えばＬＥＤは、大きな表面のうちの１つが発光面であるフラットな形状を有する。第１のワイヤ及び／又は第２のワイヤは、発光面の反対側に位置する発光素子の面に配置してもよい。
【００１４】
いくつかの実施形態では、発光素子は、第１のワイヤ及び第２のワイヤに電気的に接触しているインターポーザを含むことができる。インターポーザは、特に、第１のワイヤ及び／又は第２のワイヤに（直接）取り付けられ得る。インターポーザは、例えば、導電性素子と絶縁性素子との組合せを、例えばプリント回路基板として含むことができる。
【００１５】
第１のワイヤ及び第２のワイヤは、交差領域内で交差する。例えば、第１の長手方向軸線及び第２の長手方向軸線は、互いに対してある角度で配置され得る。第１のワイヤは交差領域に配置された屈曲部分を含むので、第１のワイヤと第２のワイヤとの直接的な接触が回避される。例えば、屈曲部分は、第１のワイヤの他の直線構成からの逸脱によって表され得る。特に、屈曲部分は、第１のワイヤの形状の第１の長手方向軸線からの逸脱によって形成され得る。屈曲部分は、特に、丸い曲げ、Ｕ字形又はＶ字形の曲げ、屈曲部分の長方形の形状を与える鋭い曲げによって形成してもよい。屈曲部分は、平坦な形状又は二次元形状を有してもよく、すなわち、屈曲部分は、例えば第１の長手方向軸線の半径方向面である面内に実質的に配置される。特に、屈曲部分は、発光素子から離れてる方向に延びる。
【００１６】
いくつかの実施形態では、発光素子は、ワイヤボンドによって第１のワイヤ及び／又は第２のワイヤに電気的に接触してもよく、ワイヤボンドは、交差領域内に又はその近くに配置される。例えばはんだパッチによる直接的な接触も可能である。発光素子は、第１のワイヤ及び第２のワイヤへの電気的接触が特に簡素な方法で提供され得るように、交差領域に配置される。
【００１７】
第１のワイヤと第２のワイヤとの間の最小距離が、交差領域に提供される。最小距離は、特に、照明装置の意図した使用中に第１のワイヤと第２のワイヤとの接触が回避されるように、予め規定される。特に、照明装置は、略平坦な形状を有してもよく、例えば照明装置を車体や車内パネル等の複雑な形状の物体に組み込むために、基板又は支持体の形状に一致する形状に変形可能であり得る。第１のワイヤ及び第２のワイヤを電気接続のための素子として使用することによって、照明装置は、例えば第１のワイヤ及び／又は第２のワイヤを曲げることにより容易に変形され、様々な形状を得ることができる。第１のワイヤの屈曲部分は、照明装置が変形されたときでさえ、第１のワイヤと第２のワイヤとの間の電気的接触が回避されることを確実にし得る。さらに、屈曲部分は、ばね部として構成してもよい。特に、屈曲部分は、追加の柔軟性及び変形性を第１のワイヤに与えることができる。これは、例えば高電流を必要とする用途において、より硬い材料が第１のワイヤに使用されるか、又は第１のワイヤの大きな断面が提供されるときに特に有利になり得る。
【００１８】
本発明の例示的な実施形態によれば、複数の第１のワイヤ及び／又は複数の第２のワイヤが、提供され、複数の交差領域で交差し、複数の発光素子が提供される場合に、発光素子は、交差領域に配置される。従って、照明装置は、ＬＥＤ等の発光素子のアレイ又はマトリクスを含み得る。交差領域に配置された各発光素子は、特に、それぞれの第１のワイヤ及び第２のワイヤの交差領域内又はその近くで、第１のワイヤのうちの１つ及び第２のワイヤのうちの１つに電気的に接触している。すなわち、各発光素子は、第１のワイヤのうちの１つ及び第２のワイヤのうちの１つの個々のペアに電気的に接触することができ、従って、各発光素子の個別のアドレス指定を可能にする。すなわち、各発光素子は、他の発光素子とは独立して作動され得る。例えば、第１のワイヤは、アレイ内の発光素子の列に対応してもよく、第２のワイヤは、アレイ内の発光素子の行に対応してもよい。アレイは規則的であり得るが、発光素子又はアレイ間の規則的な最近接距離及び／又は角度では、不規則である可能性がある。いくつかの実施形態では、発光素子は、長方形アレイ又は正方形アレイを形成することができる。
【００１９】
さらに、特に第１のワイヤと第２のワイヤとの間に絶縁材料が配置されていないとき、又は絶縁材料が挿入される前に、照明装置はまた、伸長性及び／又は圧縮性であってもよい。例えば、第１のワイヤ及び第２のワイヤを、発光素子同士の間の所与の距離又は距離の分布を得るために、伸長及び／又は圧縮してもよい。特に、照明装置は、第１のワイヤ及び第２のワイヤの所定の配置、及び発光素子同士の間の対応する所定の距離で製造され得る。第１のワイヤ及び第２のワイヤの配置、従って、アレイ内の発光素子の位置は、意図する用途で必要とされる特定の配置を得るために、伸長及び／又は圧縮することによって変えることができる。異なる量の応力を異なる方向に加えてもよく、例えば、第１のワイヤは、第２のワイヤとは異なる量だけ伸長又は圧縮してもよい。伸長及び／又は圧縮はまた、発光素子の不規則な配置を得るために、すなわち、発光素子同士の間の距離が変化するように使用してもよい。
【００２０】
本発明の別の例示的な実施形態によれば、照明装置は、複数の第１のワイヤ及び／又は複数の第２のワイヤに電気的に接触する制御ユニットをさらに含み、制御ユニットは、複数の発光素子の一部を残りの発光素子とは独立して作動させるように構成される。例えば、各発光素子又は少なくとも発光素子のグループは、制御ユニットを用いて、残りの発光素子とは独立して作動させることができる。例えば、特定の発光素子をアドレス指定するために、第１のワイヤ及び第２のワイヤの特定の組合せに電圧を印加することができる。制御ユニットは、電圧の割当ての切替えを提供し、オプションで電圧を供給することができる。
【００２１】
いくつかの実施形態では、制御ユニットは、例えばスイッチング周波数に基づいて、発光素子を連続的にアドレス指定するように構成してもよい。照明装置を用いて画像を取得するために、対応する第１のワイヤ及び第２のワイヤのペアに電圧を印加することにより、対応する発光素子（すなわち、ディスプレイのピクセル）を次々にアドレス指定することができる。スイッチング周波数が目の感度（例えば少なくとも１００Ｈｚ）よりも高く選択される場合に、発光素子の順次のアドレス指定によって、照明装置上に（見かけ上は連続的な）画像を形成することができる。
【００２２】
本発明の別の例示的な実施形態によれば、第１の長手方向軸線及び第２の長手方向軸線は、実質的に同じ面内に配置される。特に、複数の第１のワイヤ及び／又は複数の第２のワイヤが提供される場合に、複数のワイヤに対応する第１の長手方向軸線及び第２の長手方向軸線は、実質的に同じ面内に配置される。こうして、略平坦な形状の照明装置が得られる。特に、発光素子は、発光素子の面として、より簡素且つ確実な方法で、第１のワイヤ及び第２のワイヤに取り付けることができる。例えばコンタクトパッドを備えた面は、同じ面内に配置された第１のワイヤ及び第２のワイヤの部分上に配置してもよい。特に、発光素子を第１のワイヤ及び第２のワイヤの直線部分に配置することができ、ワイヤと発光素子との間の接触面を増大させ、導電性が向上し、機械的安定性が向上する。
【００２３】
本発明の別の例示的な実施形態によれば、第２のワイヤは、第１のワイヤの屈曲部分の略中央で第１のワイヤと交差する。特に、屈曲部分は、第２のワイヤを含む面に関して対称であり得る。こうして、照明装置の変形特性がより均一になり得、特に、変形の方向に関係なく、第１のワイヤと第２のワイヤとの接触を回避することができる。
【００２４】
本発明の別の例示的な実施形態によれば、所定の最小距離、第１のワイヤ及び／又は第２のワイヤの材料、第１のワイヤ及び／又は第２のワイヤの断面の少なくとも１つは、第１のワイヤ及び第２のワイヤが、第１のワイヤ及び／又は第２のワイヤに関する所定の変形度の下での接触を回避するように選択される。例えば、照明装置は、所定の最大変形、例えば最大曲げ角度を伴う用途を意図してもよい。所定の最小距離、第１のワイヤ及び／又は第２のワイヤの材料、第１のワイヤ及び／又は第２のワイヤの断面は、所与の予め規定された最大変形の下でも、使用中のワイヤの接触及び可能性のある短絡が、これらの変形条件下でもワイヤが離間されているため回避されるように選択される。例えば、ワイヤの断面及び材料は、電気伝導の要件に関して最適化することができ、予め規定された最小距離は、より小さい交差領域及びよりコンパクトな照明装置を得るために可能な限り小さく選択することができる一方、ワイヤは、依然として不要な接触から保護される。
【００２５】
本発明の別の例示的な実施形態によれば、第２のワイヤは屈曲部分を含む。上述したように、第１のワイヤの屈曲部分は、照明装置の変形特性を与えるためにばね部として構成され得、第２のワイヤに屈曲部分を設けることによって、照明装置の変形特性をさらに最適化し得る。特に、複数の交差部が設けられ、第２のワイヤ又は各第２のワイヤは、照明装置のより均一な変形特性を得るために、２つの交差領域間の略中央に少なくとも１つの屈曲部分を含む。
【００２６】
本発明の別の例示的な実施形態によれば、発光素子は、第１の長手方向軸線に沿って延びる第１のワイヤの接触部分に電気的に接触しており、及び／又は発光素子は、第２の長手方向軸線に沿って延びる第２のワイヤの接触部分に電気的に接触している。特に、第１のワイヤ及び／又は第２のワイヤの接触部分は、対応する長手方向軸線に沿って延びる直線部分として構成される。接触部分を設けることにより、ワイヤと発光素子との間の接触面が増大され、導電性が向上し、機械的安定性が向上する。
【００２７】
いくつかの実施形態では、発光素子は、はんだ、特にはんだペースト、及び／又は導電性接着剤等の接触材料によって、第１のワイヤ及び／又は第２のワイヤに電気的に接触することができる。接触材料によって、照明装置の簡素で信頼できる製造が可能になる。特に、第１のワイヤ及び／又は第２のワイヤ上に接触部分が設けられる場合に、様々な接触材料が利用され得る。接触材料は、ある程度の剛性又は柔軟性を与えるように選択することができる。特に、タイプＳＡＣ３０５に基づくはんだは、本発明による照明装置の変形中に、有利な機械的特性及び信頼性を示した。接触材料は、第１のワイヤ及び／又は第２のワイヤをコンタクトパッド（例えば、インターポーザに配置された又はＬＥＤダイに直接配置されたコンタクトパッド）を介して発光素子と接続することができる。
【００２８】
コンタクトパッドを含む少なくとも１つの発光素子を伴う本発明の別の例示的な実施形態によれば、コンタクトパッドは、第１のワイヤと第２のワイヤとの間の所定の最小距離で互いに対して配置される。例えば、第１のワイヤと第２のワイヤとの間の所定の最小距離は面内で与えられてもよく、第１の長手方向軸線及び第２の長手方向軸線は実質的に面内に配置される。発光素子は、交差領域に配置され得、コンタクトパッドは、交差領域において第１のワイヤ及び第２のワイヤと直接位置合わせされ得る。特に、コンタクトパッドの距離は、第１のワイヤ及び第２のワイヤの接触部分の距離に対応する。
【００２９】
さらに又は代替として、コンタクトパッドは、第１の長手方向軸線と第２の長手方向軸線との間の角度に対応する角度で配置される細長い形状を有し得る。コンタクトパッドの細長い形状及び角度の整列は、発光素子のコンタクトパッドと第１のワイヤ及び第２のワイヤとの間の接触面積を増大させることができる。
【００３０】
本発明の別の例示的な実施形態によれば、第１の長手方向軸線及び第２の長手方向軸線は、交差領域において互いに略直交するように配置される。従って、特に、発光素子の特に簡素な配置を提供することができる。
【００３１】
上述したように、第１のワイヤの屈曲部分は、原則として第１のワイヤ及び／又は第２のワイヤが追加の電気絶縁を必要としないように、第１のワイヤと第２のワイヤとの間の接触を回避するのに役立ち得る。しかしながら、本発明の別の例示的な実施形態によれば、発光素子、第１のワイヤ、及び／又は第２のワイヤは、絶縁材料で少なくとも部分的に覆われている。絶縁材料は、照明装置の機械的特性を改善するため、及び照明装置をその環境（例えば、湿度）から保護するために提供され得る。絶縁材料は、照明装置の光学的特性も改善し得る。例えば、発光素子、第１のワイヤ、及び／又は第２のワイヤは、絶縁材料でオーバーモールド及び／又はカプセル化され得る。絶縁材料は、例えば、柔軟性の高い材料であってもよい。絶縁材料はさらに、所望の光学的特性に応じて、透明、不透明、又は反射性であってよい。適切な絶縁材料の例はシリコーンである。さらに、加えて又は代替として、第１のワイヤ及び／又は第２のワイヤには、絶縁コーティング（例えば、絶縁材料を含むワイヤジャケット）を設けてもよい。
【００３２】
本発明の別の例示的な実施形態によれば、照明装置は、交差領域において第１のワイヤと第２のワイヤとの間に配置された間隔要素をさらに含む。間隔要素は、特に絶縁特性を有する。いくつかの実施形態では、間隔要素は、第１のワイヤから第２のワイヤまで延びてもよく、及び／又は間隔要素に追加の柔軟性を与えるばね部を含んでもよく、それによって照明装置の変形、特に交差領域における第１及び第２のワイヤの変形が間隔要素によって妨げられないようにする。間隔要素は、間隔要素を第１のワイヤ及び／又は第２のワイヤに取り付けるための取付け要素を含むことができる。特に、ポジティブフィット（positive fit）に基づく取付け手段、例えば、第１及び／又は第２のワイヤへのクリップオン・フィッティング（Clip-on fitting）を提供してもよい。他の実施形態では、交差領域において第１のワイヤと第２のワイヤとの間にシート材料を挿入してもよい。シート材料は、ポリイミドのような絶縁材料を含み得る。場合によっては、交差領域において第１のワイヤと第２のワイヤとの間にシート材料（のみ）を挿入して、ワイヤの電気的接触を回避することができる。あるいはまた、シート材料は、第１のワイヤの少なくとも一部、特に複数の交差領域を覆うことができる。シート材料は、第１のワイヤの接触部分に対応する開口部を含むことができる。開口部は、切断、特にレーザー切断又はレーザーアブレーションによって形成してもよい。シート材料は、特に、容易な曲げを可能にする厚さを有する。例えば、シート材料は、２０μｍ〜３００μｍの厚さを有する。
【００３３】
本発明の別の例示的な実施形態によれば、照明装置は、少なくとも１つのキャビティを有するフレーム要素をさらに含み、少なくとも１つのキャビティは、少なくとも１つの発光素子を取り囲むように配置される。少なくとも１つのキャビティを含むフレーム要素は、例えば、各発光素子の照明パターンを成形する導光素子として構成してもよい。いくつかの実施形態では、照明装置は、間隔を空けて配置された（より小さな）発光素子に基づくことができ、照明装置のより費用効果の高い製造を可能にする。フレーム要素は、各発光素子の照明を広げて、実質的に連続的なディスプレイを提供するように構成され得る。フレーム要素は、例えば、所望の照明パターンを提供するために耐熱性及び／又は反射性要素を含んでもよい。さらに、フレーム要素は、発光素子を環境から保護することができる。
【００３４】
本発明の別の例示的な実施形態によれば、第１のワイヤの接触部分及び／又は第２のワイヤの接触部分に対応するキャビティを有する接触材料ステンシルを使用して、接触材料を塗布し、電気的接触を確立する。上述したように、特に第１の長手方向軸線及び第２の長手方向軸線が実質的に同じ面内に配置される場合に、第１のワイヤ及び第２のワイヤは、はんだペースト及び／又は導電性接着剤等の接触材料の簡素な塗布のために接触材料ステンシルの使用を可能にする略平坦な形状を形成し得る。従って、照明装置を製造する方法は、特に簡素な方法で行うことができる。既に上述したように、交差領域において第１のワイヤと第２のワイヤとの間にシート材料を挿入することができ、シート材料は、第１のワイヤの接触部分に対応する開口部を含むことができる。いくつかの実施形態では、例えば、レーザー切断又はアブレーション等の切断によって形成され得るシート材料の開口部は、接触材料ステンシルとしても機能し得る。はんだペースト等の接触材料は、シート材料の開口部を介して塗布してもよい。
【００３５】
本発明の別の例示的な実施形態によれば、照明装置は、特に、照明装置の簡素な製造を可能にする平坦な形状又は二次元形状から変形されて、照明装置の支持体の形状に一致する。例えば、第１のワイヤ及び／又は第２のワイヤは、ワイヤの材料及び断面が変形を許容し得るため変形する可能性があるが、発光素子は、より剛性が高く、特に、より変形の少ないインターポーザを備えることができる。特に、第１のワイヤ及びオプションで第２のワイヤの屈曲部分は、かなりの量の総変形を与えることができる。さらに、照明装置は、特に、発光素子同士の間の距離を変更するために伸長及び／又は圧縮してもよい。異なる量の応力を異なる方向に加え、伸長及び／又は圧縮を使用して、発光素子の不規則な配置を得ることもできる。特に、照明装置の伸長及び／又は圧縮は、絶縁材料が、第１のワイヤと第２のワイヤとの間に配置される前に、例えば絶縁材料をオーバーモールドする前に実行される。
【００３６】
支持体の構成は、照明装置の意図した用途によって規定してもよい。いくつかの実施形態では、照明装置は、自動車の照明、特にコミュニケーション・ライト、表示灯、信号灯、及び／又は室内灯として使用される。支持体は、例えば、車体の一部又は車の内部パネルであってもよい。照明装置における第１のワイヤ及び第２のワイヤの配置は、支持体の形状に適用及び一致され得る高度に変形可能な照明装置を提供し得る。
【００３７】
上述した本発明の特徴及び例示的な実施形態は、本発明による異なる態様に等しく関係し得る。特に、第１の態様による照明装置に関する特徴の開示により、第２の態様による方法及び第３の態様による使用に関する対応する特徴も開示される。
【００３８】
この部分（region）における本発明の実施形態の提示は、単に例示的であり、非限定的であることを理解されたい。
【００３９】
本発明の他の特徴は、添付図面と併せて考慮される以下の詳細な説明から明らかになろう。しかしながら、図面は、単に例示の目的で設計されたものであり、本発明の制限の規定として設計されたものではなく、添付の特許請求の範囲を参照すべきことを理解されたい。さらに、図面は一定の縮尺で描かれておらず、それら図面は本明細書に記載される構造及び手順を概念的に示すことのみを意図していることを理解されたい。
【図面の簡単な説明】
【００４０】
次に、本発明の例を、添付図面を参照して詳細に説明する。
【図１ａ】交差領域を含む第１のワイヤ及び第２のワイヤの配置の概略図を斜視図で示す。
【図１ｂ】交差領域を含む第１のワイヤ及び第２のワイヤの配置の概略図を側面図で示す。
【図２ａ】照明装置の第１の実施形態の概略図を斜視図で示す。
【図２ｂ】照明装置の第１の実施形態の概略図を斜視図で示す。
【図２ｃ】照明装置の第１の実施形態の概略図を斜視図で示す。
【図２ｄ】照明装置の第１の実施形態の概略図を側面図で示す。
【図３】照明装置の第２の実施形態の概略図を斜視図で示す。
【発明を実施するための形態】
【００４１】
図１ａは、第１の長手方向軸線４を有する第１のワイヤ２及び第２の長手方向軸線８を有する第２のワイヤ６の配置の概略図を示す。第１のワイヤ２及び第２のワイヤ６は、交差領域１０内で交差する。
【００４２】
第１のワイヤ２は、交差領域１０に配置された屈曲部分１２を含む。屈曲部分１２は、第１の長手方向軸線４の半径方向面に配置されたＵ字形状の屈曲部として構成される。第１の長手方向軸線４及び第２の長手方向軸線８は、交差領域１０において互いに略直交して配置される。さらに、第１の長手方向軸線４及び第２の長手方向軸線８は、実質的に同じ面内に配置される。第１のワイヤ２には屈曲部分１２が設けられているため、第１のワイヤ２と第２のワイヤ６との接触が回避される。
【００４３】
これは、図１ｂにより明確に確認することができ、この図１ｂは、図１ａからの交差領域１０を含む第１のワイヤ２及び第２のワイヤ６の配置の概略図を側面図で示している。所定の最小距離１４が、交差領域１０において第１のワイヤ２と第２のワイヤ６との間に提供される。第２のワイヤ６は、第１のワイヤ２の屈曲部分１２の略中央で第１のワイヤ２と交差する。最小距離１４は、例えば照明装置が車体等の支持体の形状に一致するように変形されるときに、照明装置の意図した使用中に第１のワイヤ２と第２のワイヤ６の接触が回避されるように予め規定される。第１のワイヤ２の屈曲部分１２は、第１のワイヤ２と第２のワイヤ６との間の電気的接触が変形中に回避されることを保証し、さらに、照明装置の変形特性を改善するためのばね部として構成される。第２のワイヤ６はまた、図１ａに確認されるように、照明装置の変形特性をさらに改善するために、屈曲部分１６を含む。
【００４４】
特に、所定の最小距離１４、第１のワイヤ２及び第２のワイヤ６の材料、並びに第１のワイヤ２及び第２のワイヤ６の断面は、第１のワイヤ２及び第２のワイヤ６が照明装置（従って、第１のワイヤ２及び／又は第２のワイヤ６）上の所定の変形応力下での接触を回避するように選択される。
【００４５】
図２ａ〜図２ｃは、図１ａ及び図１ｂに示される第１のワイヤ２及び第２のワイヤ６の配置に基づく、照明装置２０の第１の実施形態の概略図を斜視図で示す。図２ｄは、照明装置２０の第１の実施形態の対応する側面図を示す。
【００４６】
発光素子２２が、第１のワイヤ２及び第２のワイヤ６に電気的に接触している。発光素子２２は、コンタクトパッド２８ａ、２８ｂを有するインターポーザ２６に配置されたＬＥＤダイ２４を含む。コンタクトパッド２８ａは第１のワイヤ２にはんだ付けされ、コンタクトパッド２８ｂは対応する接触部分３２ａ、３２ｂで第２のワイヤ６にはんだ付けされる。はんだパッチ３０が、接触部分３２ａ、３２ｂに形成される。
【００４７】
第１のワイヤ２の接触部分３２ａは、第１の長手方向軸線４に沿って延び、第２のワイヤ６の接触部分３２ｂは、第２の長手方向軸線８に沿って延びる。コンタクトパッド３２ａ、３２ｂは、第１のワイヤ２と第２のワイヤ６との間の所定の最小距離で互いに対して配置される。さらに、コンタクトパッド３２ａ、３２ｂは、細長い（長方形）形状を有しており、特に図２ｄから分かるように、第１の長手方向軸線４と第２の長手方向軸線８との間の直交配置に対応して、互いに直交して配置される。こうして、第１のワイヤ２及び第２のワイヤ６とコンタクトパッド３２ａ、３２ｂとの接触面積、従って第１のワイヤ２及び第２のワイヤ６と発光素子２２との接触面積が拡大され、導電性及び機械的安定性が向上する。
【００４８】
図３は、照明装置２０の第２の実施形態の概略図を斜視図で示す。複数の第１のワイヤ２及び複数の第２のワイヤ６が、設けられ、複数の交差領域１０で交差する。複数の発光素子２２が設けられており、発光素子２２は交差領域１０に配置される。従って、発光素子２２はアレイを形成する。第２のワイヤ６は、２つの交差領域１０の間の略中央に屈曲部分１６を含む。第１のワイヤ２は、アレイの発光素子２２の列に対応し、第２のワイヤ６は、アレイの発光素子２２の行に対応する。従って、各発光素子２２は、第１のワイヤ２のうちの１つ及び第２のワイヤ６のうちの１つの個々のペアに電気的に接触しており、各発光素子２２の個別のアドレス指定を可能にする。発光素子２２のアレイは、規則的な長方形のアレイであり、特に自動車の照明に役立つ。例えば、アレイが、他の道路利用者に画像を提供するための電子表示モジュールとして機能し得るので、照明装置２０は、コミュニケーション・ライトとして使用することができる。この実施形態では、アレイは４行５列を有しており、ディスプレイの２０個のピクセルを形成する２０個の個別にアドレス指定可能な発光素子２２をもたらす。当然、他の構成のアレイ、特により多い行及び列が可能である。
【００４９】
照明装置２０は容易に変形可能であり、第１のワイヤ２及び第２のワイヤ６の望ましくない接触は、交差領域１０における第１のワイヤ２及び第２のワイヤ６の前述した配置によって、特に第１のワイヤ２の屈曲部分１２によって回避される。従って、照明装置２０は、車体等の支持体の形状に一致するように変形させることができる。
【００５０】
さらに、発光素子２２、第１のワイヤ２、及び／又は第２のワイヤ６は、シリコーン（図示せず）等の絶縁材料によって少なくとも部分的に覆ってもよい。さらに、少なくとも１つのキャビティを有するフレーム要素を設けてもよく、少なくとも１つのキャビティは、照明装置２０（図示せず）の光学的特性を改善するために少なくとも１つの発光素子２２を取り囲むように配置される。
【図１ａ】
2021506060.tif 000003
【図１ｂ】
2021506060.tif 000004
【図２ａ】
2021506060.tif 000005
【図２ｂ】
2021506060.tif 000006
【図２ｃ】
2021506060.tif 000007
【図２ｄ】
2021506060.tif 000008
【図３】
2021506060.tif 000009
【国際調査報告】
2021506060.tif 000010
2021506060.tif 000011
2021506060.tif 000012